(57)【要約】【課題】シリンダ１２と摺動摩擦部材１４の摺動部分における潤滑材の枯渇を効果的に防止し、耐摩耗性を向上させた防振ダンパを提供する。【解決手段】シリンダ１２と、一端側がシリンダ１２内に挿入され他端側がシリンダ１２の外部に延ばされたピストン１３と、シリンダ１２内に摺動可能に嵌合されかつピストン１３に対し所定範囲内で移動可能に保持されてシリンダ１２との間で摩擦力を発生する摺動摩擦部材１４と、を備え、シリンダ１２と摺動摩擦部材１４との間には潤滑剤２１が介在されてなる防振ダンパ１１において、ピストン１３における摺動摩擦部材の保持面を傾斜面１７ｂ，１８ｂとし、ピストン１３の移動時に摺動摩擦部材１４が楔状の隙間を有してシリンダ１２に接触する構造とする。【効果】シリンダ１２と摺動摩擦部材１４の接触面の隙間が楔状になるため、この楔状の隙間に潤滑剤２１が溜まってシリンダ１２と摺動摩擦部材１４の摺動面を摩耗が少ない流体潤滑状態にできるので、シリンダ１２と摺動摩擦部材１４の摩耗を低減できる。【選択図】        図２
2005009538.tif 000002
【特許請求の範囲】
【請求項１】
シリンダと、一端側が前記シリンダ内に挿入され他端側が前記シリンダの外部に延ばされたピストンと、前記シリンダ内に摺動可能に嵌合されかつ前記ピストンに対し所定範囲内で移動可能に保持されて前記シリンダとの間で摩擦力を発生する摺動摩擦部材と、を備え、前記シリンダと前記摺動摩擦部材との間には潤滑剤が介在されてなる防振ダンパにおいて、
前記ピストンにおける前記摺動摩擦部材の保持面に傾斜を設け、前記ピストンの移動時に前記摺動摩擦部材が楔状の隙間を有して前記シリンダに接触する構造としたことを特徴とする防振ダンパ。
【請求項２】
前記摺動摩擦部材に、径方向の伸縮変形を容易とするための溝を設けたことを特徴とする請求項１に記載の防振ダンパ。
【請求項３】
前記摺動摩擦部材を、径方向の伸縮変形を容易とするために多層構造としたことを特徴とする請求項１または２に記載の防振ダンパ。
【請求項４】
前記ピストンの移動時に前記摺動摩擦部材を強制的に移動させて前記シリンダに押し付ける機構を設けたことを特徴とする請求項１〜３の何れか１項に記載の防振ダンパ。
【発明の詳細な説明】
【０００１】
【発明の属する技術分野】
本発明は、摺動により減衰力を発生させる防振ダンパに関し、特に耐摩耗性の向上に係るものである。
【０００２】
【従来の技術】
摺動により減衰力を発生させる防振ダンパを用いるものとして、例えば図１１に示すようなドラム式洗濯機がある。このドラム式洗濯機は、外周部に多数の通水孔４を有し洗濯物を洗濯脱水するために回転するドラム３と、このドラム３を内包する水槽２と、この水槽２の振動を低減するために水槽２に取り付けられた錘７と、水槽２を収納する外枠１と、水槽２と外枠１との間に装備して水槽２の荷重を受ける防振ばね１０と、水槽２と外枠１の間に装備して水槽２の振動を抑制する防振ダンパ１１と、ドラム３を駆動するモータ５と、一端をドラム３の回転中心に固定した回転軸６を備え、さらに外枠１に設けた開口部から洗濯物の出し入れを行うとともに水漏れや洗濯物の飛び出しを防止するドア９と、水槽２と外枠１の開口部を弾性接続するベローズ８と、を備えた構成になっている。
【０００３】
そして、この洗濯機に適用される従来の一般的な防振ダンパとして、例えば図１２に示すような防振ダンパ１１がある。この防振ダンパ１１は、円筒状のシリンダ１２と、一端側がシリンダ１２内に挿入され他端側がシリンダ１２の外部に延ばされたピストン１３と、シリンダ１２内に摺動可能に嵌合されかつピストン１３に固定保持されてシリンダ１２との間で摩擦力を発生する摺動摩擦部材１４と、を備えてなり、シリンダ１２の端部に設けられた取付部１５を水槽２に取り付けるとともに、ピストン１３の端部に設けられた取付部１６を外枠１に取り付けて構成される。
【０００４】
前記ドラム式洗濯機の構成において、洗浄・すすぎ工程時にはドラム３はモータ５により低速回転駆動され、ドラム３内の洗濯物を持ち上げて水面上に落下させることにより洗浄・すすぎを行う。脱水工程時には、ドラム３を高速回転させて脱水を行う。この時ドラム３の内の洗濯物に片寄りが生じると、ドラム３及び水槽２は振動し、特に脱水回転開始時における共振により大きく振動する。そのため、起こりうる洗濯物の最大の片寄りによるアンバランスに対しても過度の水槽２の振動を防ぎ所定の振幅以下に抑えるため、緩衝力の非常に大きな防振ダンパ１１を用いることにより振動振幅を低減している。
【０００５】
したがって、脱水回転数が高い定常回転時には、この防振ダンパ１１の大きな緩衝力により、防振ダンパ１１を介して水槽２の振動を外枠１に直接伝達し、さらには洗濯機を設置している床面にも大きな振動を伝達する。これにより、床面が大きく振動し、木造家屋においては家屋全体が振動するとともに使用者に不快感を与え、騒音面でも問題があった。
【０００６】
この問題を解決する方法の一例として、下記の特許文献１に記載の防振ダンパがある。この防振ダンパは、シリンダと、一端側がシリンダ内に挿入され他端側がシリンダの外部に延ばされたピストンと、シリンダ内に摺動可能に嵌合されかつピストンに対し所定範囲内で移動可能に保持されてシリンダとの間で摩擦力を発生する摺動摩擦部材と、備えた構成になっている。この構成により、共振等の振動振幅の大きな時は摺動摩擦部材が摩擦摺動し大きな緩衝力を生じさせるが、ドラムの回転が高くなり振動振幅が小さくなるとピストンは、摺動摩擦部材に拘束されることなく移動できるため、ほとんど緩衝力が生じないようになっている。また、摺動摩擦部材がシリンダに全面接触する状態では、その締め代のわずかな変化で減衰力が大きく変動するため、摺動摩擦部材をタイコ状に形成したり、両端を面取りする等の構成とし、減衰力のバラツキを減少させている。
【特許文献１】
特開平５−２４８４６８号公報
【０００７】
【発明が解決しようとする課題】
ところで、通常このような防振ダンパでは、シリンダと摺動摩擦部材との間に潤滑剤を介在させてある。この潤滑剤としては例えば油（潤滑油）が用いられ、この潤滑剤があることによってシリンダと摺動摩擦部材との間の摩擦が少なくなり、摩耗が抑えられるものである。
しかしながら、前述した従来の防振ダンパおいては、潤滑剤の枯渇に関する考慮が何ら行われていなかった。従って従来の防振ダンパでは、摺動摩擦部材が繰り返し摺動することよってその摺動部分から徐々に潤滑剤が失われ、長期にわたる使用の結果、シリンダと摺動摩擦部材に摩耗が生じて振動減衰力の低下を招くおそれがあった。
【０００８】
本発明はこのような問題点に鑑みてなされたもので、シリンダと摺動摩擦部材の摺動部分における潤滑材の枯渇を効果的に防止し、耐摩耗性を向上させた防振ダンパを提供することを目的とする。
【０００９】
【課題を解決するための手段】
上記の目的を達成するために本発明の請求項１に記載の発明は、シリンダと、一端側がシリンダ内に挿入され他端側がシリンダの外部に延ばされたピストンと、シリンダ内に摺動可能に嵌合されかつピストンに対し所定範囲内で移動可能に保持されてシリンダとの間で摩擦力を発生する摺動摩擦部材と、を備え、シリンダと摺動摩擦部材との間には潤滑剤が介在されてなる防振ダンパにおいて、ピストンにおける摺動摩擦部材の保持面に傾斜を設け、ピストンの移動時に摺動摩擦部材が楔状の隙間を有してシリンダに接触する構造としたものである。
さらに請求項２に記載の発明は、摺動摩擦部材に、径方向の伸縮変形を容易とするための溝を設けた構成としたものである。
また請求項３に記載の発明は、摺動摩擦部材を、径方向の伸縮変形を容易とするために多層構造に構成したものである。
また請求項４に記載の発明は、ピストンの移動時に摺動摩擦部材を強制的に移動させてシリンダに押し付ける機構を設けた構成としたものである。
【００１０】
【発明の実施の形態】
以下、図面を参照しながら本発明の実施の形態について詳細に説明する。
図１〜図４は本発明の好適な一実施例の構成を示し、図１は本発明に係る防振ダンパ１１の縦断側面図であり、図２〜図４は防振ダンパ１１の動作説明に用いる主要部の部分拡大図である。
本実施例の防振ダンパ１１は、図１に示すように円筒状のシリンダ１２と、一端側がシリンダ１２内に挿入され他端側がシリンダ１２の外部に延ばされたピストン１３と、シリンダ１２内に摺動可能に嵌合されかつピストン１３に対し所定範囲内で移動可能に保持されてシリンダ１２との間で摩擦力を発生する摺動摩擦部材１４と、を備えて構成される。この防振ダンパ１１の両端には、シリンダ１２の上端部とピストン１３の下端部に夫々設けられた取付部１５と１６を有し、この取付部１５と１６が例えば図１１に示した洗濯機の水槽２と外枠１に夫々取り付けられる。
【００１１】
ピストン１３のヘッド部１７にはストッパ１８がナット１９によって固定されており、このヘッド部１７の下端部とストッパ１８の上端部に夫々設けられた規制手段であるフランジ部１７ａと１８ａの間で移動可能にリング状の摺動摩擦部材１４が嵌合保持されている。なお、この構成においてシリンダ１２は金属製、ピストン１３及びストッパ１８はプラスチック製であり、また摺動摩擦部材１４には例えばウレタンのような振動減衰性に優れた材料が好適に用いられる。
【００１２】
この防振ダンパ１１においては、シリンダ１２と摺動摩擦部材１４の摺動部分の摩耗を抑えるために、シリンダ１２と摺動摩擦部材１４との間に潤滑剤（潤滑油）を介在させてある。
そして特に本実施例の防振ダンパ１１では、この潤滑剤の枯渇防止を目的として、後述する如くピストン１３の移動時に摺動摩擦部材１４が楔状の隙間を有してシリンダ１２に接触するように、摺動摩擦部材の保持部においてその保持面に傾斜を設けてある。即ちこの防振ダンパ１１において、摺動摩擦部材の保持部を構成するヘッド部１７とストッパ１８は、摺動摩擦部材の保持面（摺動摩擦部材１４の内周面が接触する面）を傾斜面１７ｂと１８ｂとしたテーパ形状に形成されており、このヘッド部１７とストッパ１８よって摺動摩擦部材の保持部は全体として鼓形に形成されている。
また、本実施例においては、摺動摩擦部材１４の径方向の伸縮変形が容易なように、図４（Ａ）に示す如く摺動摩擦部材１４の内外周面に厚み方向に形成される溝２０を多数設けてある。
【００１３】
次に、本実施例の防振ダンパ１１における動作を説明する。図２はシリンダ１２に対しピストン１３が入り込むように移動（防振ダンパ１１の取付距離が短くなるように移動）した時の様子を示す拡大断面図であり、図３はシリンダ１２に対してピストン１３が出て行くように移動（防振ダンパ１１の取付距離が長くなるように移動）した時の様子を示す拡大断面図である。
【００１４】
ピストン１３に対し摺動摩擦部材１４が中立の状態の場合は図１のように、摺動部材１４はピストン１３のヘッド部１７とストッパ１８の中間位置に均等に接触し、摺動部材１４の外周面はシリンダ１２の内周面に全面的に接触している。その状態からシリンダ１２が動き、シリンダ１２に対しピストン１３が入り込むように移動して行くと、図２（Ａ）に示す如くピストン１３のヘッド部１７の傾斜面１７ｂが摺動動摩擦部材１４の内周に入り込み、ヘッド部１７のフランジ部１７ａが当たるまで入り込むと、摺動摩擦部材１４の内周面がピストン１３のヘッド部１７の傾斜面１７ｂとほぼ同等の傾斜になる。それにより、摺動摩擦部材１４の外周面もほぼ同様に変形し、その変形によって摺動摩擦部材１４は進行方向の外周が狭くなって図４（Ｂ）に示すような形状になり、シリンダ１２との間に進行方向の隙間が広い楔状の隙間が生じる。
【００１５】
そして図２（Ｂ）に示す如くこの楔状の隙間に潤滑剤２１が溜まる状態となり、その状態で潤滑剤２１は、摺動摩擦部材１４の移動に伴って摺動摩擦部材１４とシリンダ１２の摺動面および摺動摩擦部材１４の外周部の溝２０から進行方向の下流側に流れて行く。摺動摩擦部材１４とシリンダ１２の摺動面を通る潤滑剤２１は、楔状の隙間の作用により摺動摩擦部材１４とシリンダ１２の間に圧縮された状態で十分に入り込み、油膜が十分な流体潤滑状態になる。それにより、潤滑剤の枯渇を防止でき、摺動摩擦部材１４やシリンダ１２の摩耗を低減することが可能になる。
【００１６】
また、以上とは逆に、シリンダ１２に対しピストン１３が出て行くように移動した時は、図３（Ａ）に示す如くストッパ１８の傾斜面１８ｂが摺動摩擦部材１４の内周に入り込み、ストッパ１８のフランジ部１８ａが当たるまで入り込むと、摺動摩擦部材１４の内周面がストッパ１８の傾斜面１８ｂとほぼ同等の傾斜になる。それにより、摺動摩擦部材１４の外周面も図示の如くほぼ同様に変形し、その変形によって摺動摩擦部材１４は進行方向の外周が狭くなり、シリンダ１２との間に進行方向の隙間が広い楔状の隙間が生じる。
【００１７】
そして図３（Ｂ）に示す如くこの楔状の隙間に潤滑剤２１が溜まる状態となり、その状態で潤滑剤２１は、摺動摩擦部材１４の移動に伴って摺動摩擦部材１４とシリンダ１２の摺動面および摺動摩擦部材１４の外周部の溝２０から進行方向の下流側に流れて行くことにより、前述したように摺動摩擦部材１４とシリンダ１２の摺動面を流体潤滑状態にでき、摺動摩擦部材１４やシリンダ１２の摩耗を低減することが可能になる。
【００１８】
また、以上の実施例では、摺動摩擦部材１４の変形が容易に行えるように、摺動摩擦部材１４の内外周面に溝２０を設けたが、より一層の耐摩耗性の向上と変形を容易とするために、図５に示す如く摺動摩擦部材１４を材質の違う材料による多層構造にしてもよい。
【００１９】
図５（Ａ）は摺動摩擦部材１４を径方向に多層構造にした場合の実施例で、即ちこの摺動摩擦部材１４はその本体部を柔らかい材質１４Ａで形成して径方向の変形を容易とし、ピストン１３と接触する内周部およびシリンダ１２と摺動する外周部は摩耗を低減するために硬い材質１４Ｂを使用して形成してある。この硬い材質１４Ｂで形成される内外周面にも多数の溝２０が設けられ、これによって摺動摩擦部材１４は径方向の変形がさらに容易となっている。
【００２０】
また図５（Ｂ）は摺動摩擦部材１４を円周方向に多層構造にした場合の実施例で、即ちこの摺動摩擦部材１４は円周方向に複数のブロックに分割された構造を有し、ここで各ブロックは硬い材質１４Ｂで形成され、この硬い材質１４Ｂの各ブロック間を柔らかい材質１４Ａで繋いだ構成とすることで径方向の変形を容易としている。この場合、各ブロック間を繋ぐ柔らかい材質１４Ａの部分には溝２０が設けられ、これによって摺動摩擦部材１４の径方向の変形がさらに容易となっている。
【００２１】
これらの実施例で使用する材料として、硬い材質には金属、樹脂、硬質ゴム等が考えられ、軟らかい材質には軟質ゴム、発泡樹脂等が考えられるが、この材質は特に限定されるものではない。また硬さの異なる材質を多層構造にする方法としては、例えば接着、溶着、一体成形等の方法が可能である。
【００２２】
さらにこの防振ダンパでは、摺動摩擦部材１４の内周にピストン１３のヘッド部１７やストッパ１８の傾斜面１７ｂ，１８ｂが入り込み易いように、図６に示す如く摺動摩擦部材１４の内周面の上下角部１４ａ，１４ｂに面取り（またはＲ）を設けた構成としてもよい。
また図７に示すように、ピストン１３のヘッド部１７とストッパ１８の夫々の傾斜面１７ｂと１８ｂの間に平坦面１７ｃと１８ｃを設けた形状とし、ピストン１３に対する摺動摩擦部材１４の移動範囲を大きくとった構成としても、前述した実施例と同様の動作をすればよい。
さらに以上の実施例において、ピストン１３のヘッド部１７をピストン１３と別部材にしてもよく、またストッパ１８をピストン１３のヘッド部１７と一体の構成とすることもできる。
【００２３】
次に、ピストンの移動時に摺動摩擦部材を強制的に移動させる実施例について図８および図９を用いて説明する。
前述までの実施例は、摺動摩擦部材１４とシリンダ１２との摩擦力と、摺動摩擦部材１４にピストン１３のヘッド部１７等の傾斜面が入り込む時の摩擦力とにおいて、摺動摩擦部材１４とシリンダ１２との摩擦力が大きい場合に成り立つ。
しかし、実際に使用する場合には、シリンダ１２に対してピストン１３は、軸方向に対し傾いた荷重を受けることが頻繁に起こりうる可能性が高い。その状態では、摺動摩擦部材１４とシリンダ１２の接触は片当たり状態になり、摺動摩擦部材１４の片側の部分しか移動できずに、ピストン１３に対して摺動摩擦部材１４は傾いてしまい、十分に性能を発揮できなくなってしまう。そこで、強制的に摺動部材を移動させ性能を安定させる実施例を考案した。
【００２４】
この実施例の防振ダンパ１１は、図８（Ａ）に示すように円筒状のシリンダ１２と、一端側がシリンダ１２内に挿入され他端側がシリンダ１２の外部に延ばされたピストンロッド２３と、シリンダ１２内に摺動可能に嵌合されかつピストンロッド２３に対し移動可能に保持されてシリンダ１２との間で摩擦力を発生する２つの摺動摩擦部材２４および２５と、を備えて構成され、ここで摺動摩擦部材２４と２５は、ピストンロッド２３に対して移動可能に設けられた上部ストッパ２６と下部ストッパ２７に夫々嵌合保持されている。
【００２５】
この構成において上部ストッパ２６と下部ストッパ２７は、夫々摺動摩擦部材２４と２５を保持する保持面を傾斜面２６ｂ，２７ｂとしたテーパ形状に形成されており、上部ストッパ２６の上端部と下部ストッパ２７の下端部には、摺動摩擦部材の移動範囲を規制するフランジ部２６ａと２７ａが夫々形成されている。
この上部ストッパ２６と下部ストッパ２７は、下部ストッパ２７から突出する固定ピン２８を上部ストッパ２６に嵌め込んで一体的に連結されており、この上部ストッパ２６と下部ストッパ２７によって摺動摩擦部材の保持部は全体として鼓形に形成されている。
【００２６】
そしてこの上部ストッパ２６と下部ストッパ２７の間には、摺動摩擦部材を移動させるための円板状の作動板２９が配設されている。この作動板２９は、変形が容易な柔らかい材質によりなるもので、これがピストンロッド２３の先端部２３ａに固定されてピストンロッド２３と一体に動くようになっており、この作動板２９と対向する上部ストッパ２６と下部ストッパ２７の夫々の内側面には、この作動板２９を変形させるための球面状の凹部２６ｃと２７ｃが形成されている。なお、下部ストッパ２７から突出する固定ピン２８は、この作動板２９に形成された通孔２９ａを貫通して上部ストッパ２６と下部ストッパ２７を連結する構造となっている。
【００２７】
続いて、この実施例の防振ダンパ１１の動作について説明する。図９（Ａ）はピストンロッド２３がシリンダ１２に対して入り込む方向に動作した場合、同図（Ｂ）はピストンロッド２３がシリンダ１２に対して出て行くように動作した場合を表している。
【００２８】
図のように、作動板２９はピストンロッド２３に固定されており、ピストンロッド２３が動くと、作動板２９もピストンロッド２３と共に動くが、このとき作動板２９は上下のストッパ２６，２７の凹部２６ｃ，２７ｃに当接してこの凹部２６ｃ，２７ｃの球面に沿って変形し、外周部がピストンロッド２３の移動方向とは逆方向に突き出るように湾曲する。それにより、ピストンロッド２３がシリンダ１２に入り込む場合は、図９（Ａ）のように作動板２９が下側の摺動摩擦部材２５を押し下げ、そのためこの摺動摩擦部材２５は、下部ストッパ２７の傾斜面２７ｂに沿って変形し、楔形の隙間を有する状態でシリンダ１２の内周面に全面的に押し付けられ、またピストンロッド２３がシリンダ１２から出る場合は、図９（Ｂ）のように作動板２９が上側の摺動摩擦部材２４を押し上げ、そのためこの摺動摩擦部材２４は、上部ストッパ２６の傾斜面２６ｂに沿って変形し、楔形の隙間を有する状態でシリンダ１２の内周面に全面的に押し付けられる状態となる。
【００２９】
このように、ピストンロッド２３がどちらに移動した場合でも、摺動摩擦部材２４，２５のどちらか一方がシリンダ１２に全面的に押し付けられることにより、軸方向に対し傾いた荷重を受けた場合でも安定した潤滑状態を保つことができる。
【００３０】
なお、本発明は以上に示した実施例の構成に限定されるものではなく、構成部材の形状および材質は、シリンダと摺動摩擦部材の接触部の隙間が楔状になるものであれば、どのようなものを用いてもよい。
【００３１】
また、図１１の適用例で示した洗濯機の構成では、防振ダンパ１１と防振ばね１０は別の場所に取り付けてあるが、防振ばね１０を防振ダンパ１１のシリンダ１２の内側あるいは外側の近傍に設けた構造としてもよい。
その一例として、防振ばねをシリンダに内装し、吊り下げて使用する防振ダンパの実施例を図１０に示す。
【００３２】
この実施例の防振ダンパ３１は、円筒状のシリンダ３２と、このシリンダ３２に上方から挿入されるピストンに相当する吊り棒３３と、この吊り棒３３の下端部に固定される上下のストッパ３４，３５と、このストッパ３４，３５に嵌合保持されてシリンダ３２との間で摩擦力を発生する摺動摩擦部材３６と、シリンダ３２の内部においてストッパ３４とシリンダ３２の上面部との間に挿着される防振ばね３７と、を備えて構成され、ここで上下のストッパ３４，３５における摺動摩擦部材の保持面がテーパ状の傾斜面３４ｂ，３５ｂとなされ、吊り棒３３の移動時に摺動摩擦部材３６が変形し楔状の隙間を有してシリンダ３２に接触する構造は前述した実施例と同様である。
【００３３】
この図１０の実施例で示す防振ダンパ３１は、荷重を支える防振ばね３７をシリンダ３２に内装した構造により、コンパクトに構成できる。そして例えば図１１に示したような洗濯機において、防振ばね１０と防振ダンパ１１に代えてこの実施例の防振ダンパ３１を適用し、これで水槽２を吊って外枠１に支持する構成とすることもできる。
【００３４】
【発明の効果】
以上に説明した如く本発明の防振ダンパは、ピストンにおける摺動摩擦部材の保持面に傾斜を設け、ピストンの移動時に摺動摩擦部材が楔状の隙間を有してシリンダに接触する構造としたことにより、シリンダと摺動摩擦部材との間に介在される潤滑剤が楔状の隙間に溜まり、この楔状の隙間の広い方から狭い方に潤滑剤を流すように作用するため、シリンダと摺動摩擦部材の摺動面を摩耗が少ない流体潤滑状態にでき、シリンダと摺動摩擦部材の摩耗を低減することが可能となり、耐摩耗性の優れた防振ダンパを提供することができる。
【図面の簡単な説明】
【図１】本発明の一実施例を示す防振ダンパの縦断側面図である。
【図２】図１の防振ダンパにおいて、シリンダに対しピストンが入り込む時の様子を示す拡大断面図で、（Ａ）は摺動摩擦部材の付近の拡大断面図、（Ｂ）は潤滑剤の潤滑状態を表わす拡大断面図である。
【図３】図１の防振ダンパにおいて、シリンダに対しピストン出て行く時の様子を示す拡大断面図で、（Ａ）は摺動摩擦部材の付近の拡大断面図、（Ｂ）は潤滑剤の潤滑状態を表わす拡大断面図である。
【図４】摺動摩擦部材の形状を示す斜視図で、（Ａ）は通常の形状、（Ｂ）は変形時の形状である。
【図５】摺動摩擦部材を多層構造にした実施例で、（Ａ）は径方向に多層構造とした例、（Ｂ）は円周方向に多層構造とした例である。
【図６】防振ダンパにおける摺動摩擦部材の付近のさらに他の実施例を示す拡大縦断面図である。
【図７】防振ダンパにおける摺動摩擦部材の付近の他の実施例を示す拡大縦断面図である。
【図８】摺動摩擦部材を強制的に移動させる実施例の防振ダンパを示す図で、（Ａ）は摺動摩擦部材の付近の拡大断面図、（Ｂ）は下部ストッパの平面図である。
である。
【図９】図８の防振ダンパにおける動作説明図で、（Ａ）はシリンダに対しピストンが入り込む時の様子を示す拡大断面図、（Ｂ）はシリンダに対しピストンが出て行く時の様子を示す拡大断面図である。
【図１０】防振ばねを一体化した実施例の防振ダンパを示す縦断側面図である。
【図１１】防振ダンパが適用されるドラム式洗濯機の概略構成図である。
【図１２】従来の防振ダンパを示す縦断側面図である。
【符号の説明】
１１…防振ダンパ、１２…シリンダ、１３…ピストン、１４…摺動摩擦部材、１４Ａ…柔らかい材質、１４Ｂ…硬い材質、１７…ヘッド部、１７ｂ…傾斜面（保持面）、１８…ストッパ、１８ｂ…傾斜面（保持面）、２０…溝、２１…潤滑剤、２３…ピストンロッド、２４，２５…摺動摩擦部材、２６，２７…上下ストッパ、２６ｂ，２７ｂ…傾斜面（保持面）、３１…防振ダンパ、３２…シリンダ、３３…吊り棒、３４，３５…上下ストッパ、３４ｂ，３５ｂ…傾斜面（保持面）、３６…摺動摩擦部材、３７…防振ばね
【図１】
2005009538.tif 000003
【図２】
2005009538.tif 000004
【図３】
2005009538.tif 000005
【図４】
2005009538.tif 000006
【図５】
2005009538.tif 000007
【図６】
2005009538.tif 000008
【図７】
2005009538.tif 000009
【図８】
2005009538.tif 000010
【図９】
2005009538.tif 000011
【図１０】
2005009538.tif 000012
【図１１】
2005009538.tif 000013
【図１２】
2005009538.tif 000014